(57)【要約】【課題】エプロンの固定を簡便かつ安価に実施するためのエプロン取り付け構造を提供する。【解決手段】  浴槽エプロンの取り付け構造において、エプロンは、浴槽上縁部裏側に取り付けられたフックと、エプロン裏側下部に取り付けられたフックとを結ぶ引張スプリングによって、浴槽上縁部裏側へ引き付けられて固定され、エプロン上端部は、浴槽外周垂下部の裏側へ嵌合されて固定され、エプロン下側の固定は、エプロン側面両端部を、浴室壁に設けた固定具に嵌合させて固定する。【選択図】  図１
2005237661.tif 000002
【特許請求の範囲】
【請求項１】
浴槽エプロンの取り付け構造において、エプロンは、浴槽上縁部裏側に取り付けられたフックと、エプロン裏側下部に取り付けられたフックとを結ぶ引張スプリングによって、浴槽上縁部裏側へ引き付けられて固定されてことを特徴とする浴槽エプロンの取り付け構造。
【請求項２】
エプロン上端部は、浴槽外周垂下部の裏側へ嵌合されて固定されていることを特徴とする請求項１に記載のエプロン取り付け構造。
【請求項３】
エプロン下側の固定は、エプロン側面両端部を、浴室壁に設けた固定具に嵌合させて固定することを特徴とする請求項１に記載のエプロン取り付け構造。
【発明の詳細な説明】
【技術分野】
【０００１】
本発明は、浴槽の洗い場側側面を覆うためのエプロンの取り付け構造に関するものである。
【背景技術】
【０００２】
図６に示すように、従来より浴槽の洗い場側側面を覆うためのエプロンの取付構造として、浴槽下部もしくは床部に取り付けられた固定具にエプロン下端部を接合させ、下からエプロンを支えて固定する方法が知られている。該エプロン取付構造においては、浴槽の脚もしくは床に取り付けられた固定具の上部に、エプロン下端部に取り付けられた固定具を接合させてエプロン下端部の位置を決め、エプロン上部の固定は、エプロン上部を浴槽外周垂下部の裏側へ嵌合させ、下端部に取り付けられたスプリングにより浴槽上縁部裏側へ押し付けてエプロンを固定している。
【０００３】
また他の方法としては、図７に示すように、浴槽上縁部裏面より取り出した支持具に、エプロン裏側に取り付けた別の固定具を嵌合させてエプロンを固定する方法が知られている。該エプロン取付構造は、浴槽上縁部裏面にエプロンを支持するための支持具が接着等の方法にて取り付けられ、その支持具の下方先端は突起が設けられている。一方エプロンの裏側には同じく接着等の方法で取り付けられた固定具があり、その固定具は突起を嵌合させるための形状となっており、前記エプロン支持具の突起を勘合させて、エプロンを支持固定している。
【０００４】
【特許文献１】特開２００３−４７５７０号公開（第４頁、第１図）
【特許文献２】特開平７−１８４８０１号公開（第５頁、第１図）
【発明の開示】
【発明が解決しようとする課題】
【０００５】
しかしながら、上記従来の方法では、浴槽の下端もしくは床部もしくは浴槽裏面の側面付近に、固定するための固定具を必ず有さなければならず、またエプロンが前後左右にがたつかないように取り付けるためには、下端部もしくは側面部を強固に固定出来る、剛性の高い固定具が必要であり、さらにエプロン上下方向の取り付け位置が固定具取付位置によって決まるため、固定具の取り付け寸法精度が要求され、固定具そのものや、その固定具の浴槽や床・エプロンへの組立などにより、非常にコストがかさむものであった。
またエプロンを床部とエプロン下端にて支持する方法の場合は、床部とエプロン下端との間にすき間が発生するため、外観上見苦しく、また汚れも溜まりやすいという欠点があった。
【０００６】
本発明は、上記問題を解決するためになされたもので、本発明の課題は、エプロンの固定を簡便かつ安価に実施するためのエプロン取り付け構造を提供するものである。
【課題を解決するための手段】
【０００７】
上記目的を達成するために請求項１，２，３記載の発明によれば、浴槽エプロンの取り付け構造において、エプロンは、浴槽上縁部裏側に取り付けられたフックと、エプロン裏側下部に取り付けられたフックとを結ぶ引張スプリングによって浴槽上縁部裏側へ引き付けられ、エプロン上端部は浴槽外周垂下部の裏側へ嵌合されて固定されており、エプロン下側は、エプロン側面両端部を、浴室壁に設けた固定具に嵌合させて固定される。
【発明の効果】
【０００８】
上記方法によることで、エプロンを固定するための部品構成は、引張スプリングとフック、及びエプロン側面用固定具のみのため、浴槽の下端もしくは床部もしくは浴槽裏面の側面付近に剛性の高い固定具を設ける必要がなく、部品コストを削減することができ、安価にすることが可能となる。
【０００９】
またエプロン上下方向の取り付け位置の位置決めは、スプリングによって大体の位置に引き付けているのみのため、エプロンの取り付け位置を決めるための固定具位置の寸法精度をほとんど気にする必要がなく、固定具の取り付けにかかる時間が短縮できるため、生産性が高く、結果的に安価で精度の良いエプロンの固定が可能となる。
【００１０】
またユニットバスや洗い場付浴槽の場合において、エプロンをユニットバス等の床部とエプロン下端にて支持する方法の場合と比較すると、床部にエプロンを載せるための段部を必要としないため、通常はエプロンが浴槽外周垂下部と床の段部の間に取り付けられ、浴槽外周垂下部の高さ寸法及びエプロン高さ方向にある程度の精度が要求されるが、本発明の方法によれば、床部に段部が不要のため、寸法精度をほとんど気にする必要がなく、結果的に寸法管理等の作業工程が簡素化できるためコストの削減が可能となる。
【００１１】
また同じくユニットバスや洗い場付浴槽の場合において、エプロンをユニットバス等の床部とエプロン下端で支持する方法と比較すると、床とエプロン下端部の接合部にすき間が発生しないため、外観が向上するとともに、すき間への汚れの付着もなくなるというメリットがある。
【発明を実施するための最良の形態】
【００１２】
図１、２、３は本発明の請求項１〜３全てに対応する一実施例を示し、該実施形態のエプロン取り付け構造は、まず浴槽上縁部裏側及びエプロン下部裏側へ、フックを取り付けるための固定部１を備える。固定部は、例えば浴槽・エプロンがハンドレイアップ成形の場合は、木材や合成樹脂を裏側へ貼り付けるなどをして形成させ、ＳＭＣやＢＭＣ、注型成形など浴槽裏側を型で成形する場合は、浴槽やエプロンと一体式で形成させても良い。
【００１３】
次にその固定部１にフック２を取り付ける。フックはビス一体式の吊り金具を取り付けても良いし、より安価な、単なるビスを取り付けるだけでも良い。もしくはさらに安価な方法として、固定部１に穴もしくは切り欠きを設けて、それをフックとして使用しても良い。
【００１４】
次にエプロンを浴槽上縁面裏側に引き付けるための引張スプリング３を、浴槽とエプロンに取り付けたフック２に取り付け、浴槽上縁面裏側に引き付ける。引張スプリング３は、換わりにゴムなどの復元力のある伸縮自在な部材を使用しても良い。
【００１５】
最後にエプロン下部を固定するためのエプロン固定金具４を浴室壁１１に取り付ける。固定金具４はエプロン８の質量を支える必要はなく、エプロン下端が前方へ飛び出さないようにするのみでよいため、例えば板ばねとなっており、板ばねのすき間にエプロン側面７を差し込むことにより固定される。固定金具４は板ばね以外にも、図４のように、先端が広がった突起状の金具を浴室壁１１に取り付け、エプロン側面１０にその突起が収まる切り欠きを設けそこに嵌合させても良いし、図５のように、浴室壁１１及びエプロン側面１０が各々形状的に嵌合するように、それぞれ型で凹凸状に形成し、エプロン凸部が壁凹部に嵌合するようにエプロンを差し込み、固定しても良い。  または、エプロンの下端を浴槽側面１０へやや引き付けるように引張スプリング３を取り付ければ、スプリングの引張力によりエプロン下端が固定されるため、エプロン固定金具４はつけなくても良いという方法もある。
【図面の簡単な説明】
【００１６】
【図１】本発明の一実施形態を示すエプロン取付構造を示す断面図である。
【図２】図１の分解構成図である。
【図３】本発明の一実施形態を示すエプロン取付構造を示す斜視図である。
【図４】本発明において、エプロン側面と浴室壁とを固定するための、別の方法を示す斜視図である。
【図５】本発明において、エプロン側面と浴室壁とを固定するための、別の方法を示す斜視図である。
【図６】従来例であるエプロン取付構造を示す断面図である。
【図７】従来例である別のエプロン取付構造を示す断面図である。
【符号の説明】
【００１７】
１…フック取付用固定部
２…フック
３…引張スプリング
４…エプロン固定金具
５…浴槽上縁面
６…浴槽外周垂下部
７…浴槽側面
８…エプロン
９…エプロン上端部
１０…エプロン側面
１１…浴室壁
【図１】
2005237661.tif 000003
【図２】
2005237661.tif 000004
【図３】
2005237661.tif 000005
【図４】
2005237661.tif 000006
【図５】
2005237661.tif 000007
【図６】
2005237661.tif 000008
【図７】
2005237661.tif 000009